(57)【特許請求の範囲】
【請求項１】
対向一対のガイドレールのそれぞれに両端が案内されるとともに、前記各ガイドレールの長手方向に沿って所定ピッチで複数連結される長尺な中空パイプよりなるシャッター部材にて構成されるグリルシャッターのシャッターカーテンに備えられるシャッター用施錠装置において、
前記隣り合う一対のシャッター部材の前記ピッチ間の長手方向両端のいずれか一方の端部に配設されるケース内に設けられたシリンダ錠と、
前記シャッター部材の一方の端部に配設され、前記シリンダ錠に挿着されるキーによる前記シリンダ錠の回動に連動して、前記シャッター部材の長手方向に沿って前記一方の端部に対し進退する一方の係合片と、
前記隣り合う一対のシャッター部材の前記ピッチ間の他方の端部に配設されるケース内に設けられ、前記シャッター部材の長手方向に沿い前記他方の端部に対して進退自在な他方の係合片と、
前記ケース内において他方の係合片に連結されて、該他方の係合片を前記他方の端部に対して進出する方向に付勢させる付勢部材と、
前記シャッター部材の中空部分内に摺動自在に配設されるとともに、一端が前記シリンダ錠に連結され、他端が前記他方の係合片に連結され、前記シリンダ錠の回動に連動する細径な連結長体と、
前記各ガイドレールのそれぞれに互いに対向して配設され、前記各係合片に係合する係合部と、
を具備したことを特徴とするシャッター用施錠装置。
【請求項２】
前記シャッターカーテンを構成し、前記連結長体が内部に配設されるシャッター部材は、スリットを長手方向に連続して形成した断面略Ｃ字状の中空パイプよりなり、その前記スリットがパッキン材により閉塞されることを特徴とする請求項１記載のシャッター用施錠装置。
【請求項３】
前記シリンダ錠のケース及び係合片のケースは、前記隣り合う一対のシャッター部材に回動自在に連結されているとともにシャッター部材の長手方向には移動が規制されて取り付けられ、前記両ケースの一部が前記ガイドレール内に挿入された状態とされていることを特徴とする請求項１又は２記載のシャッター用施錠装置。
【請求項４】
対向一対のガイドレールのそれぞれに両端が案内されるとともに、前記各ガイドレールの長手方向に沿って複数連結されるシャッター部材にて構成され、該シャッター部材は、他のシャッター部材と連結する桟部を上下縁に有する透明パネル板により構成されるシャッターカーテンに備えられるシャッター用施錠装置において、
前記隣り合うシャッター部材の長手方向両端のいずれか一方の端部に配設されるケース内に設けられたシリンダ錠と、
前記シャッター部材の一方の端部に配設され、前記シリンダ錠に挿着されるキーによる前記シリンダ錠の回動に連動して、前記シャッター部材の長手方向に沿って前記一方の端部に対し進退する一方の係合片と、
前記シャッター部材の他方の端部に配設されるケース内に設けられ、前記シャッター部材の長手方向に沿い前記他方の端部に対して進退自在な他方の係合片と、
前記ケース内において他方の係合片に連結されて、該他方の係合片を前記他方の端部に対して進出する方向に付勢させる付勢部材と、
前記シャッター部材の前記桟部の中空部分内に摺動自在に配設されるとともに、一端が前記シリンダ錠に連結され、他端が前記他方の係合片に連結され、前記シリンダ錠の回動に連動する細径な連結長体と、
前記各ガイドレールのそれぞれに互いに対向して配設され、前記各係合片に係合する係合部と、
を具備し、前記シリンダ錠のケース及び係合片のケースは、両ケースの一部が前記ガイドレール内に挿入された状態で前記シャッター部材の端部に配設されたことを特徴とするシャッター用施錠装置。
【発明の詳細な説明】
【０００１】
【発明の属する技術分野】
本発明は、例えばパイプ状の部材がシャッター部材とされるグリルシャッターなどのシャッターカーテンに備えられ、該シャッターカーテンの閉鎖時における施錠を行うシャッター用施錠装置に関するものである。
【０００２】
【従来の技術】
一般にシャッター装置に備えられる施錠装置は、図１２に示すように、スラットカーテン１００を構成する上下方向に複数連結された略短冊形状のスラット１０１の人が操作を行いやすい高さとなるスラットに配設されるとともに、このスラット１０１の幅方向略中間に位置する箇所に鍵穴１０２を配設し、この鍵穴１０２の操作により、スラット１０１両端より係合片１０３を突出させる構造となっており、突出したこれら係合片１０３が、スラットカーテン１００の昇降を案内するガイドレール１０４内の係合凹部１０５に係合し、これによりスラットカーテン１００が施錠されるようになっている。
【０００３】
【発明が解決しようとする課題】
しかしながら、上述した従来の施錠装置は、略短冊板形状のスラット１０１に配設される構造であることから、その機構部分がスラット１０１の板面にて隠蔽されることとなるが、このスラット１０１の構造が、透明パネル板にて構成されるシャッター部材の場合、すなわちシースルーシャッターを構成するシャッター部材では、板面が透明であることから内部の機構部分が見えてしまい防犯上の問題があるとともに、このシャッター部材の特長である透光を遮ってしまうという問題がある。
【０００４】
また、上記のような問題を解消するために、図１３に示すように、シャッターカーテン１００の最下部に位置する座板となるボトムスラット１０６が、不透明な短冊状部材であることから、このボトムスラット１０６に配設する構造もあるが、閉鎖時の鍵穴１０２の位置が床面に近くなるため操作時に屈むことから、施錠操作が煩雑となり、特に雨天時などでは操作者の衣服を汚損するおそれがあり、問題となる。
【０００５】
さらに、シャッター部材１０７の形状が、パイプ状に形成されたグリルシャッター１００の場合では、上述したスラットやパネル板などのように板状に形成されていないため、上記従来の施錠装置が適用できず、そのため、図１４に示すように左右ガイドレール１０４に近接するようにパイプ状のシャッター部材１０７の両端部分にそれぞれ個別に構成される施錠機構部を配設し、左右一対で施錠装置を構成させるようになっているが、左右それぞれにシリンダ錠１０２を備え、それぞれの操作によって各部の係合片を突出させる構造であるため、シャッター幅が大きくなるとその施錠操作が非常に煩雑になるという問題があった。
【０００６】
そこで本発明は、上記問題点を解消するために、透明パネル板やパイプ状部材よりなるシャッター部材にて構成されるシャッターに備えられ、簡素な構造で、容易な操作にて施錠操作を行え、かつ確実な施錠を行うことのできるシャッター用施錠装置を提供することを目的としている。
【０００７】
【課題を解決するための手段】
次に、上記の課題を解決するための手段を、実施の形態に対応する図面を参照して説明する。
この発明のシャッター用施錠装置１は、対向一対のガイドレール３５のそれぞれに両端が案内されるとともに、前記各ガイドレール３５の長手方向に沿って所定ピッチで複数連結される長尺な中空パイプよりなるシャッター部材３３にて構成されるグリルシャッターのシャッターカーテン３２に備えられるシャッター用施錠装置において、
前記隣り合う一対のシャッター部材３３の前記ピッチ間の長手方向両端のいずれか一方の端部に配設されるケース２内のシリンダ錠７と、
前記シャッター部材３３の一方の端部３３ａに配設され、前記シリンダ錠７に挿着されるキー１０による前記シリンダ錠７の回動に連動して、前記シャッター部材３３の長手方向に沿って前記一方の端部３３ａに対し進退する一方の係合片１１と、
前記隣り合う一対のシャッター部材３３の前記ピッチ間の他方の端部３３ｂに配設されるケース３内に設けられ、前記シャッター部材３３の長手方向に沿い前記他方の端部３３ｂに対して進退自在な他方の係合片２２と、
前記ケース３内において他方の係合片２２に連結されて、該他方の係合片２２を前記他方の端部３３ｂに対して進出する方向に付勢させる付勢部材２５と、
前記シャッター部材３３の中空部分３３ｃ内に摺動自在に配設されるとともに、一端２６ａが前記シリンダ錠７に連結され、他端２６ｂが前記他方の係合片２２に連結され、前記シリンダ錠７の回動に連動する細径な連結長体２６と、
前記各ガイドレール３５のそれぞれに互いに対向して配設され、前記各係合片１１、２２に係合する係合部３６と、
を具備したことを特徴としている。
前記シャッターカーテン３２を構成し、前記連結長体２６が内部に配設されるシャッター部材３３は、スリット３７を長手方向に連続して形成した断面略Ｃ字状の中空パイプよりなり、その前記スリット３７がパッキン材３８により閉塞される構造としてもよい。
さらに、前記シリンダ錠７のケース２及び係合片２２のケース３は、前記隣り合う一対のシャッター部材３３に回動自在に連結されているとともにシャッター部材３３の長手方向には移動が規制されて取り付けられ、前記両ケース２、３の一部が前記ガイドレール３５内に挿入された状態とされた構造としてもよい。
【０００８】
なお、前記シャッターカーテン３２を構成するシャッター部材３３は、中空パイプよりなり、前記連結長体２６が該シャッター部材３３の中空部分３３ｃ内に摺動自在に配設されることとしてもよく、また、前記シャッターカーテン３２を構成するシャッター部材３３を、他のシャッター部材３３と連結する桟部４２を有する透明パネル板４１より構成し、前記連結長体２６が該シャッター部材３３の桟部４２中空部内に摺動自在に配設される構成としてもよい。
【０００９】
以上の構成により、シャッターカーテン３２の施錠の際は、キー１０にてシリンダ錠７を回動させることで、一方の係合片１１が連動してシャッター部材３３の長手方向に沿って進出し、同時に、連結長体２６がシリンダ錠７の回動に連動して摺動して他方の係合片２２を進出させる。
これにより、両係合片１１，２２がガイドレール３５内の係合部３６と係合し、施錠となる。
【００１０】
また、解錠の際は、キー１０にてシリンダ錠７を上記とは逆の方向に回動させることで、一方の係合片１１を後退させ、同時に連結長体２６を牽引して他方の係合片２２を後退させ、解錠となる。
なお、他方の係合片２２には、付勢部材２５が連結されており、この他方の係合片２２をシャッター部材３３の他方の端部３３ｂに対して常に進出するよう付勢している。
【００１１】
【発明の実施の形態】
図１は本発明によるシャッター用施錠装置が備えられるシャッターの正面図、図２は同シャッター用施錠装置の実施の形態を示す一部裁断正面図、図３及び図４は同施錠装置の動作を表す正断面図である。
【００１２】
はじめに、本発明のシャッター用施錠装置１が備えられるグリルシャッター３０について説明する。
このグリルシャッター３０は、図１に示すように、建物の開口等の上縁にシャッターケース３１が水平に設けられ、このシャッターケース３１内に回動自在に設けられている巻取軸（図示せず）にシャッターカーテン３２が連結されており、このシャッターカーテン３２は、中空パイプなどの長尺な棒状の部材よりなる複数のシャッター部材３３を、各々が互いに所定ピッチとなるようにリンク３４で連結した構造となっている。
【００１３】
そして、シャッターケース３１の下縁に接続された対向した左右一対のガイドレール３５内に、これらシャッター部材３３の両端部３３ａ，３３ｂが挿入されて上下方向の移動を案内され、巻取軸によってシャッターカーテン３２が巻き上げ，巻き戻しが行われることで、シャッターカーテン３２の昇降、すなわち開閉が行われるようになっている。
【００１４】
また、図２に示すように、このシャッターカーテン３２の両端部を支持し昇降を案内する各ガイドレール３５の奥方に位置する垂直な底面部３５ａには、後述する施錠装置１の各係合片１１，２２と係合する複数の係合部３６が櫛歯状に連続して設けられている。
【００１５】
さて、上記のような構成のグリルシャッター３０に設けられるシャッター用施錠装置１は、図１及び図２に示すように、上下方向に複数連結された各シャッター部材３３の操作の行いやすい高さの位置に配設される。
【００１６】
この施錠装置１は、図２に示すように、一対のケース２，３を有し、これらケース２，３が、上下に隣り合う一対のシャッター部材３３の左右両端３３ａ，３３ｂに配設され、各ケース２，３と、シリンダ錠７と、一対の係合片１１，２２と、連結長体２６とで、大略構成されている。
【００１７】
まず、シャッター部材３３の長手方向両端の一方の端部３３ａに配設される一方のケース２は、矩形箱状に形成されて、上下縁部にそれぞれシャッター部材３３の端部３３ａが連結されている。
【００１８】
このケース２とシャッター部材３３との連結状態は、回動自在とされるとともに、左右幅方向となるシャッター部材３３の長手方向には移動が規制されて取り付けられ、また、ケース２の一部はガイドレール３５内に挿入された状態となっている。
【００１９】
また、図３に示すように、この一方のケース２には、表裏面に貫通して形成された通孔４が穿設されているとともに、シャッター部材３３の端部３３ａより外側の方向となるガイドレール３５内に位置する端面に貫通孔５が形成されている。
【００２０】
また、シャッター部材３３の長手方向の他方の端部３３ｂに配設される他方のケース３は、前記一方のケース２と同様に矩形箱状に形成され、上下縁部にシャッター部材３３の他方の端部３３ｂが連結されて、ケース３の一部がガイドレール３５内に挿入された状態となっているとともに、ガイドレール３５内に位置する外側端面に貫通孔６が形成されている。
【００２１】
次に、シリンダ錠７は、両端に鍵穴８を有する錠で、前記一方のケース２に配設されており、この一方のケース２に穿設された通孔４に両端の鍵穴８が位置し、ケース２の表裏両外面に表出するようになっている。
【００２２】
また、このシリンダ錠７には、歯車９が設けられている。
この歯車９は、図３に示すように、歯９ａの形状が、先端が鋭角な楔状ではなく、膨出した略八角形状に形成され、本実施の形態では、四本の歯９ａにて構成され、シリンダ錠７のキー１０による回転に連動して回動するようになっている。
【００２３】
次に、一対の係合片の一方の係合片１１は、一方のケース２内に配設されている。
この一方の係合片１１は、係合片本体１２と、ラック板１６と、コイルバネ１９とで構成されている。
【００２４】
係合片本体１２は、短冊形状の板部材よりなるとともに、長手方向の先端に係合爪１３が形成され、基端にはスライド杆１４が延設され、また、この本体１２の先端側中途部には、矩形状の摺動穴１５が穿設されている。
【００２５】
また、ラック板１６は、短冊矩形状の板部材よりなり、長手方向に沿う一方の縁部に、図３に示すように、略矩形状のラック歯１６ａが形成されている。
また、このラック板１６の長手方向一端には、規制爪１７が板面に対して垂直に折曲形成され、長手方向他端には、中央に貫通穴を有したストッパ板１８が板面に対して垂直となるように折曲形成されている。
【００２６】
さらに、コイルバネ１９は、圧縮コイルバネよりなり、係合片本体１２のスライド杆１４に巻装されるようになっている。
【００２７】
そして、コイルバネ１９がスライド杆１４に巻装された状態で、このスライド杆１４がラック板１６のストッパ板１８を貫通し、係合片本体１２の摺動穴１５内に規制爪１７が挿通されて、係合片本体１２とラック板１６とが重合状態となるとともに、ラック板１６に対して係合片本体１２が長手方向に摺動穴１５の範囲内でスライド移動自在とされ、かつ一方のケース２内を水平方向にスライド移動できるようになっている。
【００２８】
そして、この一方の係合片１１は、前記シリンダ錠７に連動連結されている歯車９とラック板１６との各歯９ａ，１６ａとが噛み合い、この歯車９の回動によって、一方のケース２内を摺動するとともに、その先端の係合爪１３が一方のケース２の貫通孔５より突出し、このケース２に対して進退するようになっている。
なお、本実施の形態では、この一方の係合片１１がケース２内の下部に位置し、ケース２下縁に沿って移動自在となっている。
【００２９】
また、この一方のケース２内には、連動ラック板２０が配設されている。
この連動ラック板２０は、上記係合片１１を構成するラック板１６と略同形状で、短冊板状に形成されるとともに、長手方向に沿う一方の縁部に、図３に示すように、略矩形状のラック歯２０ａが形成されている。
【００３０】
そして、この連動ラック板２０は、前記係合片１１に対して歯車９を挟んでケース２の上部に位置し、ケース２上縁に沿って摺動自在とされて歯車９と噛み合い、シリンダ錠７による歯車９の回動によって、係合片１１と相反する方向に移動するようになっている。
【００３１】
なお、この連動ラック板２０には、中途部に連結片２１が突設され、この一方のケース２外、本実施の形態では上方に突出し、ケース２上縁に接続されるシャッター部材３３の中空部３３ｃ内に位置するようになっている。
【００３２】
次に、他方の係合片２２は、矩形な短冊状に形成されるとともに、中途部に突片２３が形成された略Ｔ字状の板部材とされ、長手方向の先端に係合爪２４が形成されている。
【００３３】
そして、この他方の係合片２２は、他方のケース３内に長手方向が水平とされ突片２３が上向きとなって、水平方向にスライド移動できるように配設されているとともに、先端の係合爪２４が他方のケース３の貫通孔６より外方に突出し、このケース３に対して進退するようになっている。
なお、ケース３上側に突出する突片２３は、このケース３上縁に接続されるシャッター部材３３内に位置するようになっている。
【００３４】
また、この他方の係合片２２の中途部の板面には、付勢部材としての圧縮コイルバネ２５の一端が連結されている。
【００３５】
この圧縮コイルバネ２５の他端は、他方のケース３内に固定されており、すなわちこの圧縮コイルバネ２５により、係合片２２は常にその先端の係合爪２４がケース３より突出する方向に付勢力が働くようになっている。
【００３６】
次に、連結長体２６は、可撓性を有するワイヤなどよりなり、一端２６ａが一方のケース２の上部より突出する連動ラック板２０の連結片２１に連結され、他端２６ｂが他方のケース３の上部より突出する他方の係合片２２の突片２３に連結されている。
【００３７】
そして、この連結長体２６は、左右両ケース２，３の上縁部に連結されているシャッター部材３３の中空部３３ｃ内を、その長手方向に沿って摺動自在となるように配設される。
【００３８】
次に、上述した施錠装置１による動作の説明をする。
まず、シャッターカーテン３２の開閉動作時においては、施錠装置１は作動されずに、すなわち図４に示すように、両端の各係合片１１，２２が、それぞれのケース２，３内に後退した状態とされ、シャッターカーテン３２の移動軌跡上に突出せず、シャッターカーテン３２の昇降動作を妨げることがない。
【００３９】
この状態、すなわち解錠状態では、一方のケース２内にて連動ラック板２０は、一方の係合片１１の後退方向と相反する、シャッター部材３３の端部３３ａ側に位置し、連結長体２６を他方のケース３側から一方のケース２側に牽引することとなり、これにより他方の係合片２２を付勢部材２５の付勢力に抗して縮退させている。
【００４０】
次に、シャッターカーテン３２を閉鎖し、施錠する際は、シャッターカーテン３２の一側に位置する一方のケース２に配設されたシリンダ錠７にキー１０を差し込み、回転させる。
【００４１】
すると、シリンダ錠７に連結された歯車９がシリンダ錠７とともに回転し、この回転によって一方の係合片１１がケース２に対して進出する。
【００４２】
同時に、このシリンダ錠７の回転によって連動ラック板２０が係合片１１と相反する方向に移動し、連結長体２６の牽引状態を解き、これにより他方の係合片２２が圧縮コイルバネ２５の付勢力によって他方のケース３より進出する。
【００４３】
これにより、図３に示すように、両係合片１１，２２の先端の各係合爪１３，２４が左右ガイドレール３５内の係合部３６に係合し、キー１０を抜き取ることで施錠となる。
【００４４】
なお、この動作時において、歯車９及びこの歯車９と噛み合うラック板１６，連動ラック板２０の各歯１６ａ，２０ａの形状が、略矩形状に形成されていることから、歯車９の回転によって各ラック板１６，２０を摺動させることは可能となるが、各ラック板１６，２０の摺動によって歯車９は回転しないようになっており、すなわち、シリンダ錠７よりキー１０を抜き取ると、各ラック板１６，２０はその位置に留まり、係合爪１３，２４と係合部３６との係合状態である施錠状態を維持する。
【００４５】
また、この施錠時に、シャッターカーテン３２が完全な閉鎖状態とされていない場合、進出した各係合片１１，２２の係合爪１３，２４が、ガイドレール３５内の係合部３６に正確に係合されないが、一方の係合片１１では歯車９によって移動するラック板１６に対して係合片本体１２がコイルバネ１９により縮退が行われ、また他方の係合片２２では圧縮コイルバネ２５により縮退が行われて、他の各部の動作が中途で抑止されてしまうことなく、各バネ１９，２５の付勢力によって常に係合を行おうとすることから、施錠操作後にシャッターカーテン３２を上下に動かせば、各係合片１１，２２の係合爪１３，２４が各係合部３６に係合されることとなる。
【００４６】
次に、施錠装置１を解錠するには、シリンダ錠７にキー１０を差し込み、前記施錠時とは逆の方向に回転させる。
【００４７】
すると、シリンダ錠７に連結された歯車９がシリンダ錠７とともに回転し、この回転によって一方の係合片１１がケース２に対して後退する。
【００４８】
同時に、このシリンダ錠７の回転によって連動ラック板２０が係合片１１と相反する方向に移動し、連結長体２６を牽引して、これにより他方の係合片２２が圧縮コイルバネ２５の付勢力に抗して他方のケース３に対して後退する。
【００４９】
これにより、図４に示すように、両係合片１１，２２の先端の各係合爪１３，２４が、左右ガイドレール３５内の係合部３６より離脱し、解錠となる。
【００５０】
従ってこのように構成されたシャッター用施錠装置１では、シャッター部材３３の両端３３ａ，３３ｂに位置して左右各ガイドレール３５との係合を行う係合片１１，２２がそれぞれ配設され、これらが個別の機構部分にて構成されるとともに、各機構部分を連動連結する連結長体２６をシャッター部材３３内を通して構成したので、これら両端の機構部分を除く中間部分は中空であり、なにも構成されないことから、上記のようなパイプ部材（３３）で構成されたシャッターカーテン３２の場合、上下にリンク３４を介して連結される各シャッター部材３３の間が全て空間にて構成されることとなり、シャッターカーテン３２全体としての意匠性を損ねることがない。
【００５１】
また、このことから、施錠装置１を構成する機構部分を人の操作しやすい高さに設定し配設することが可能となり、施解錠操作を行いやすくすることが可能となる。
【００５２】
さらに、この施錠装置１では、シャッター部材３３の両端３３ａ，３３ｂに位置する機構部分のいずれか一方にのみにシリンダ錠７を配設した構成とし、このシリンダ錠７に連動して他方の係合片２２も作動する構成としたことにより、キー１０による操作がシャッターカーテン３２の一側のみで行えることとなり、シャッターカーテン３２の施解錠を容易なものとすることが可能となる。
【００５３】
なお、上述した実施の形態では、シリンダ錠７に設けられる歯車９、及びこの歯車９に噛み合う一方の係合片１１のラック歯１６ａと、連動ラック板２０の歯２０ａの形状を略矩形状とさせた例について述べたが、図５（ａ），（ｂ）に示すように、これに限定されることはなく、また、他方の係合片２２を進出方向に付勢させる付勢部材（圧縮コイルバネ）２５を、この係合片２２と重合状態に配設せず、係合片２２の基部とケース３内壁との間に配設させる構成としてもよく、さらには、図５に示すように一方の係合片１１にラック歯１６ａを形成し、ラック板１６を具備しない構成としてもよい。
【００５４】
また、上述した実施の形態では、連結長体であるワイヤ２６が、両ケース２，３の上縁に連結されるシャッター部材３３内を通る構成としているが、このシャッター部材３３に、図６に示すような、スリット３７を長手方向に連続して形成し、断面略Ｃ字状とするとともに、このスリット３７を塞ぐ断面略Ｔ字状のパッキン材３８を用い、ワイヤ２６をシャッター部材３３内に装入する際、このスリット３７よりシャッター部材３３内部に入れ、パッキン材３８にて閉塞させる構成とさせてもよい。
これによれば、この施錠装置１のシャッター部材３３への組付けが容易となる。
なお、このパッキン材３８はシャッター部材３３の長手方向に全通して配設してもよく、また、所定箇所のみ、さらには、リンク３４部分を除くスリット３７が表出する箇所のみに配設させる。
【００５５】
また、上述した実施の形態では、連結長体であるワイヤ２６が、両ケース２，３の上縁に連結されるシャッター部材３３内を通る構成としているが、図７に示すように、下縁に連結されているシャッター部材３３としてもよい。
【００５６】
さらに、連結長体２６を、可撓性を有するワイヤにて構成した例について述べたが、可撓性を有さず、剛性を有する杆状の部材としてもよい。
この場合、連動ラック板２０の摺動が他方の係合片２２に直接伝達されるので、この他方の係合片２２を常に突出させようと働く付勢部材２５の付勢力を大きく設定しなくてもよい。
【００５７】
また、上述した実施の形態では、一方のケース２内に構成され一方の係合片１１と相反する方向に移動自在な連動ラック板２０を備え、この連動ラック板２０に連結長体２６を連結させて他方の係合片２２を作動させる例について述べたが、図８に示すように、シリンダ錠７に連結される歯車９に噛み合う従動歯車４０を配設し、この従動歯車４０の回転によって連結長体２６を巻き取り，巻き戻しを行い他方の係合片２２を移動させる構成としてもよく、さらには、図９に示すように、シリンダ錠７自体にてこの連結長体２６を巻き取り，巻き戻しを行い、他方の係合片２２を移動させる構成としてもよい。
【００５８】
また、上述した実施の形態では、パイプ状部材よりなるシャッター部材３３で構成されたグリルシャッター３０に施錠装置１を設けた構成としたが、図１０に示すように、パネル板材よりなるシャッター部材３３にて構成されたパネルシャッター３０Ａに具備させる構成としてもよい。
この場合、図１１に示すように、連結長体であるワイヤ２６を、パネル４１の上下縁を構成する桟部４２の中空部内に摺動自在に配設させる構成とすれば、上記同様の効果を得ることができるとともに、シャッター部材３３を構成するパネル板４１が透明なアクリル樹脂板材であっても、このパネル板部分の透光性などを低下させることなく構成することができる。
【００５９】
さらに、上記のようなパイプ状のシャッター部材３３やパネル板状のシャッター部材ではなく、単なる短冊板状のスラットよりなるシャッター部材にも配設することが可能である。
この場合、従来の施錠装置に比べ、軽量化を図ることが可能となるとともに、シャッターカーテンの左右幅の長さが大きい場合に有効である。
【００６０】
また、上述した各実施の形態では、この施錠装置１が、シャッターカーテン３２が上下方向に昇降して開閉を行うシャッター装置に備えられる例について述べたが、左右方向に移動することで開閉が行われる横引きシャッター装置に対しても備えることができる。
【００６１】
【発明の効果】
以上説明したように本発明によるシャッター用施錠装置では、シャッター部材の両端に位置して、左右各ガイドレールとの係合を行う係合片がそれぞれ配設され、これらが個別の簡素な機構部分にて構成されるとともに、各機構部分を連動連結する連結長体を、パイプ状のシャッター部材であればその中空部分内に、桟部を有するパネル板状のシャッター部材であればその桟部の中空部内に摺動自在に配設した構成としたので、これらシャッター部材の両端に位置する機構部分を除く中間部分は隠蔽されることなどない中空となり、なにも構成されないことから、例えばパイプ状のシャッター部材にて構成されるシャッターカーテンの場合はリンクを介して連結される各シャッター部材間を全て空間にて構成することができ、また、透明パネル板のシャッター部材にて構成されるシャッターカーテンの場合は透明パネル部分を覆うことなく構成され、シャッターカーテン全体としての意匠性を損ねることがないという効果がある。
【００６２】
また、シャッター部材の両端にのみ機構部分があることから、軽量化を図ることが可能となり、シャッターカーテンの幅が長大とされた場合に有効となる。
【００６３】
さらに、上記のことから、シャッターカーテンが上下方向に昇降する構造の場合、施錠装置を構成する機構部分を人の操作しやすい高さに設定し配設することが可能となり、この施解錠操作を行いやすくすることができるという効果がある。
【００６４】
また、この施錠装置は、シャッター部材の両端に位置する機構部分のいずれか一方にのみシリンダ錠を配設した構成とし、このシリンダ錠に連動して両係合片を作動させる構成としていることから、キーによる操作がシャッターカーテンの一側のみで行えることとなり、シャッターカーテンの施解錠操作を容易に行えるという効果がある。
【図面の簡単な説明】
【図１】本発明によるシャッター用施錠装置が備えられるシャッターの正面図
【図２】同シャッター用施錠装置の実施の形態を示す一部裁断正面図
【図３】同施錠装置の動作を表す正断面図
【図４】同施錠装置の動作を表す正断面図
【図５】（ａ）他の実施の形態の施錠装置の正断面図
（ｂ）他の実施の形態の施錠装置の施錠状態を示す正断面図
【図６】他の実施の形態の施錠装置におけるシャッター部材の一部拡大斜視図
【図７】他の実施の形態の施錠装置の概略正断面図
【図８】他の実施の形態の施錠装置の概略正断面図
【図９】他の実施の形態の施錠装置の概略正断面図
【図１０】他の実施の形態の施錠装置を備えたシャッターの一部裁断正面図
【図１１】同他の実施の形態の概略側断面図
【図１２】従来の施錠装置を備えたシャッターの概略正面図
【図１３】従来の施錠装置を備えたシャッターの概略正面図
【図１４】従来の施錠装置を備えたシャッターの概略正面図
【符号の説明】
１…シャッター用施錠装置
７…シリンダ錠
１０…キー
１１…一方の係合片
２２…他方の係合片
２５…付勢部材（圧縮コイルバネ）
２６…連結長体
２６ａ…一端
２６ｂ…他端
３２…シャッターカーテン
３３…シャッター部材
３３ａ…一方の端部
３３ｂ…他方の端部
３３ｃ…中空部
３５…ガイドレール
３６…係合部
４１…パネル板
４２…桟部
【図１】
0003610647.tif 000002
【図２】
0003610647.tif 000003
【図３】
0003610647.tif 000004
【図４】
0003610647.tif 000005
【図５】
0003610647.tif 000006
【図６】
0003610647.tif 000007
【図７】
0003610647.tif 000008
【図８】
0003610647.tif 000009
【図９】
0003610647.tif 000010
【図１０】
0003610647.tif 000011
【図１１】
0003610647.tif 000012
【図１２】
0003610647.tif 000013
【図１３】
0003610647.tif 000014
【図１４】
0003610647.tif 000015